(57)【要約】【課題】サージを防止でき、圧縮機の運転状態を把握し易いサージ発生防止装置およびこれを搭載する圧縮機を提供する。【解決手段】本発明のサージ発生防止装置１０は、圧縮機１の吸込流量と吸込圧Ｐｓと吸込温度Ｔｓと吐出圧Ｐｄと吐出温度Ｔｄの各情報を取得し、ポリトロープヘッド値ｈｐｏｌを算出するポリトロープヘッド算出手段１３と、ポリトロープヘッド値を基にガスの分子量ＭＷ´を推定する分子量推定手段１４と、圧縮機１の運転点から、サージの発生情報に基づき、ガスの分子量ＭＷを含まない計算値ｈを用いてサージが発生するか否か判定するサージ判定手段１８と、推定した分子量ＭＷ´を用いて圧縮機１の性能特性を算出する性能特性算出手段１５と、性能特性と、圧縮機１の運転点と、サージの発生情報とを、ガスの吸い込み流量とポリトロープヘッド値との関係で示す情報に演算し、表示器１７に出力する運転状態算出手段１６とを含む。【選択図】図２
2014043795.tif 000002
【特許請求の範囲】
【請求項１】
ガスを圧縮する圧縮機の吸込流量と吸込圧と吸込温度と吐出圧と吐出温度の各情報を取得し、前記ガスのガス定数と圧縮係数とを用いてポリトロープヘッド値を算出するポリトロープヘッド算出手段と、
前記ポリトロープヘッド値を基に前記ガスの分子量を推定する分子量推定手段と、
前記圧縮機の運転点から、前記圧縮機のサージの発生情報に基づき、前記ガスの分子量を含まない計算値を用いてサージが発生するか否か判定するサージ判定手段と、
前記分子量推定手段で推定した分子量を用いて前記圧縮機の性能特性を算出する性能特性算出手段と、
前記性能特性と、前記圧縮機の運転点と、前記サージの発生情報とを、前記ガスの吸い込み流量と前記ポリトロープヘッド値との関係で示す情報に演算し、該演算した性能特性の情報と運転点の情報と該演算後のサージの発生情報とを前記関係を表す図上に表示する表示器に出力する運転状態算出手段とを
含むことを特徴とするサージ発生防止装置。
【請求項２】
請求項１に記載のサージ発生防止装置を搭載した圧縮機。
【発明の詳細な説明】
【技術分野】
【０００１】
本発明は、圧縮機のサージ発生防止装置およびこれを搭載する圧縮機に関する。
【背景技術】
【０００２】
圧縮機では、圧縮するガスの吸込流量を減少させていくと、ある吸込流量で周期的な強い圧力変動が生じる現象、すなわちサージが発生する。サージングは圧縮機内部のガスの流れ全体が逆流し、機器に大きな負荷がかかるため、実用上、発生させるべきではない。
【０００３】
サージが発生すると圧縮機の運転が困難となるため、従来、圧縮機が稼動するシステムにはサージ発生防止装置を備えている。通常、サージ発生防止装置は、サージが発生した場合および発生する可能性が高い場合に、圧縮機の吸込側と吐出側を接続(連結)した配管に設置された制御弁(アンチサージ弁)を開操作し、吐出側のガスを吸込側へ戻して、吸込流量を増加させ、サージの発生を防止または予防する。
【０００４】
通常、サージ発生防止装置では、サージが発生した場合および発生する可能性が高い場合を検出または予測するための何らかの計測手段および予測手段を有している。
計測手段では、圧縮機の吸込側においては吸込圧力、吸込温度、吸込流量オリフィス差圧等のプロセス値を計測し、圧縮機の吐出側においては吐出圧力、吐出温度等のプロセス値を計測する。
そして、予測手段において、計測したプロセス値を用いて、サージの発生を予測する。サージの発生の予測方法は、プロセス値の変動率やプロセス値を用いて算出した計算値を、サージ発生に至る閾値と比較して、その差の値の大小によってサージの発生の可能性を判定する。このプロセス値および計算値と閾値にどのような値を用いるかについては様々なものが考案されている。
【０００５】
通常、予め測定しておいたサージが発生する圧縮機の回転速度をパラメータとした吸込流量を閾値として、この閾値と実際の運転時に計測した吸込流量とを比較し、計測した吸込流量が閾値より小さい場合は、サージが発生すると判定し、制御弁を開く。この閾値には、当然ながら安全率を考慮しマージンを持たせる。
【０００６】
ところで、吸込流量は、圧縮機が扱うガスの分子量(ガスの種類やガスの組成)によって変化するため、この閾値もガスの分子量の変化に対応することが必要である。または、閾値のマージンを相当に大きくとれば、ガスの分子量の変化があっても、サージ発生の防止の観点からは問題はないが、サージ発生の防止のために吐出側から吸込側にリサイクルするガスの量が多くなるため、経済的ではない。つまり、圧縮機の運転時のコスト上昇を招来する。
【０００７】
そこで、ガスの分子量が変化する場合であっても、その影響がない若しくは少ない閾値を用いることが通常である。
なお、本願に係る文献公知発明として、特許文献１がある。
【先行技術文献】
【特許文献】
【０００８】
【特許文献１】特開２０１０−１８２１６４号公報
【発明の概要】
【発明が解決しようとする課題】
【０００９】
ところで、従来のサージ発生防止装置では、ガスの分子量(ガスの種類やガスの組成)が変化する場合、その影響を受けにくい閾値として、ガスの分子量の変化を勘案した計算値を用いる。従来のサージ発生防止装置では、圧縮機の運転点として、この計算値を圧縮機の運転状態図にプロットして閾値が現在の圧縮機の運転状態においてどの程度運転点から離れているかをモニタすることができる。
【００１０】
しかし、圧縮機を運転している現場においては、圧縮機の性能マップ上に、刻々と変化するプロセス値を用いてサージが発生する閾値と運転点がプロットされないため、運転員にとって不便なものとなっている。
【００１１】
例えば、式(１)に示すｑｒ２を横軸にとり、式(２)に示すｈｒを縦軸にとったサージラインを示す図５が用いられるが、圧縮機の運転状態との関係が分らないため、不便なものとなっている。
【００１２】
【数１】
2014043795.tif 000003
【００１３】
【数２】
2014043795.tif 000004
【００１４】
本発明は、このような課題を鑑みてなされてものであり、圧縮機が取扱うガスの分子量が変化する運転条件においてもサージを防止でき、圧縮機の運転状態を把握し易いサージ発生防止装置およびこれを搭載する圧縮機の提供を目的とする。
【課題を解決するための手段】
【００１５】
上記目的を達成すべく、本発明に関わるサージ発生防止装置は、ガスを圧縮する圧縮機の吸込流量と吸込圧と吸込温度と吐出圧と吐出温度の各情報を取得し、前記ガスのガス定数と圧縮係数とを用いてポリトロープヘッド値を算出するポリトロープヘッド算出手段と、前記ポリトロープヘッド値を基に前記ガスの分子量を推定する分子量推定手段と、前記圧縮機の運転点から、前記圧縮機のサージの発生情報に基づき、前記ガスの分子量を含まない計算値を用いてサージが発生するか否か判定するサージ判定手段と、前記分子量推定手段で推定した分子量を用いて前記圧縮機の性能特性を算出する性能特性算出手段と、前記性能特性と、前記圧縮機の運転点と、前記サージの発生情報とを、前記ガスの吸い込み流量と前記ポリトロープヘッド値との関係で示す情報に演算し、該演算した性能特性の情報と運転点の情報と該演算後のサージの発生情報とを前記関係を表す図上に表示する表示器に出力する運転状態算出手段とを含んでいる。
【発明の効果】
【００１６】
本発明によれば、圧縮機が取扱うガスの分子量が変化する運転条件においてもサージを防止でき、圧縮機の運転状態を把握し易いサージ発生防止装置およびこれを搭載する圧縮機を実現できる。
【図面の簡単な説明】
【００１７】
【図１】本発明に係る実施形態１のサージ発生防止装置を適用した圧縮機システムの一例を示す系統図である。
【図２】サージ発生防止装置での処理フローを示す図である。
【図３】ヘリウムと窒素の２種類のガスにおけるサージラインを示す図である。
【図４】圧縮機の性能特性を圧縮機の回転数(回転速度)に対するポリトロープヘッドと吸込流量で示す図である。
【図５】従来の圧縮機のサージラインを示す図である。
【発明を実施するための形態】
【００１８】
以下、本発明に係るサージ発生防止装置の実施形態について説明する。
＜＜実施形態１＞＞
図１は、本発明に係る実施形態１のサージ発生防止装置を適用した圧縮機システムの一例を示す系統図である。
圧縮機システムＳは、ガスを圧縮する圧縮機１と、圧縮機１を駆動する駆動機２と、圧縮機１のサージの発生を抑制するサージ発生防止装置１０とを具備している。
【００１９】
圧縮機１は、遠心圧縮機とする。
サージ発生防止装置１０は、所謂コントローラであり、マイクロコンピュ-タ、Ａ／Ｄ・Ｄ／Ａ変換器、センサ信号増幅回路、各種アクチュエータの駆動回路などの周辺回路などを有している。
【００２０】
圧縮機１の吸い込み側には、吸込ノズル５が設けられ、吸込ノズル５には圧縮されるガスを吸込む(図１の矢印α１参照)ための吸込管路ｈ１が接続(連結)されている。
圧縮機１の吐き出し側には、吐出ノズル６が設けられ、吐出ノズル６には吐出ノズル６から吐出される圧縮したガスを下流に送り出す(図１の矢印α２参照)吐出管路ｈ２が接続されている。
【００２１】
吸込管路ｈ１と吐出管路ｈ２との間には、サージの発生を予防または抑制するために、圧縮機１から吐出されるガスを吸い込み側にバイパスさせる(戻す)(図１の矢印α３参照)バイパス配管ｈ３が接続されている。バイパス配管ｈ３には、サージの発生を予防または抑制する際に開弁される常閉型の制御弁(アンチサージ弁)４が設けられている。
【００２２】
吸込管路ｈ１には、オリフィス３および流量計測器９と、圧力計７と、温度計８とが設置されている。
オリフィス３および流量計測器９は、吸い込み側の吸込管路ｈ１中のガスの流量測定を目的として設置される。
圧力計７と温度計８とは、それぞれ吸い込み側の吸込管路ｈ１中のガスの圧力と温度とを測定する。
【００２３】
一方、吐出管路ｈ２には、吐出側のガスの温度と圧力とをそれぞれ測定する温度計１１と圧力計１２とが設置されている。
吸込管路ｈ１中のガスは、駆動機２によって駆動される圧縮機１内の不図示の羽根車が回転することによって、吸込ノズル５から吸込まれ(図１中の矢印α１)、羽根車の回転による遠心力によって圧縮され、吐出ノズル６から吐出される(図１中の矢印α２)。
【００２４】
ここで、吸込側の吸込管路ｈ１中のガスは、オリフィス３の前後の圧力差からオリフィス流量差圧ΔＰｓが生じる。このオリフィス流量差圧ΔＰｓから、流量計測器９によって、ベルヌイの式、連続の式などを用いて吸込管路ｈ１中のガスの流量が求められる。そして、流量計測器９により、ガスの流量を示す電気信号に変換され、サージ発生防止装置１０に出力される。このように、流量計測器９は物理量を電気信号に変換し、電気信号を増幅して出力し、また無線伝送の場合には当該電気信号を電波に乗せて送出するトランスミッタの役割をもつものとしてもよい。
【００２５】
吸込側の圧力計７では、吸込管路ｈ１中のガスの圧力を計測し吸込圧Ｐｓとして、吸込圧Ｐｓを示す電気信号へ変換してサージ発生防止装置１０に出力する。温度計８では、吸込管路ｈ１中のガスの温度を計測し吸込温度Ｔｓとして、吸込温度Ｔｓを示す電気信号へ変換してサージ発生防止装置１０に出力する。
【００２６】
一方、吐出側の温度計１１では、吐出管路ｈ２中のガスの温度を計測し吐出温度Ｔｄとして、吐出温度Ｔｄを示す電気信号へ変換しサージ発生防止装置１０に出力する。
吐出側の圧力計１２では、吐出管路ｈ２中のガスの圧力を計測し吐出圧Ｐｄとして、吐出圧Ｐｄを示す電気信号へ変換してサージ発生防止装置１０に出力する。
以上より、吸込側のガスの吸込流量に対応するオリフィス流量差圧ΔＰｓ、吸込圧Ｐｓ、および吸込温度Ｔｓ、吐出側のガスの吐出圧Ｐｄ、吐出温度Ｔｄが電気信号(センサ信号)としてサージ発生防止装置１０に伝送される。また、駆動機２の回転速度(圧縮機１の回転速度)がサージ発生防止装置１０に伝送される。
【００２７】
＜サージ発生防止装置１０＞
サージ発生防止装置１０は、ポリトロープヘッド算出手段１３と、分子量推定手段１４と、サージ判定手段１８と、性能特性算出手段１５と、運転状態算出手段１６とを備えている。
これらポリトロープヘッド算出手段１３、分子量推定手段１４、サージ判定手段１８、性能特性算出手段１５、および運転状態算出手段１６の各機能は、ソフトウェアによって具現化される。
【００２８】
ポリトロープヘッド算出手段１３は、圧縮機１で圧縮されるガスのポリトロープヘッドを算出する。分子量推定手段１４は、圧縮機１で圧縮されるガスの分子量を推定する。サージ判定手段１８は、圧縮機１でサージが発生するか否か判定する。
【００２９】
性能特性算出手段１５は、圧縮機１の性能特性を予測する。運転状態算出手段１６は、サージ判定手段１８から出力(伝送)された運転点を、性能特性算出手段１５による圧縮機１の性能特性曲線上に、演算してプロットする。
なお、分子量推定手段１４とサージ判定手段１８と性能特性算出手段１５と運転状態算出手段１６とは、ＬＡＮ(Local Area Network)を介して遠隔地間で接続される構成としてもよい。また、セキュリティが保持されれば、ＬＡＮ以外のネットワークで接続されてもよい。
【００３０】
＜サージ発生防止装置１０での処理＞
次に、図２を用いて、サージ発生防止装置１０での処理について説明する。
まず、ポリトロープヘッド算出手段１３は、プロセス値として、圧力計７、温度計８、圧力計１２、温度計１１から、それぞれ吸込圧Ｐｓ、吸込温度Ｔｓ、吐出圧Ｐｄ、吐出温度Ｔｄ、圧縮機１の回転速度などの各値を取得する(図２のＳ１０１)。
【００３１】
続いて、ポリトロープヘッド算出手段１３は、取得した吸込圧Ｐｓ、吸込温度Ｔｓ、吐出圧Ｐｄ、吐出温度Ｔｄから、下式(３)、(４)によってポリトロープヘッドｈｐｏｌを算出する。
【数３】
2014043795.tif 000005
ここで、ｎはポリトロープ指数である。
【００３２】
【数４】
2014043795.tif 000006
Ｒ０は、一般ガス定数であり、Ｒ＝Ｒ０／ＭＷである。ＭＷは、圧縮されるガスの分子量(ｇ／ｍｏｌ)である。Ｚは、圧縮係数である。圧縮係数Ｚの計算方法は様々な方法がある。例えば、単体ガスの圧縮係数Ｚは、ガスのモリエル線図によって求める。また、混合ガスの圧縮係数は、Benedict, Webb & Rubin(BWS)の状態方程式に基づいて計算する。圧縮係数Ｚは、事前に計算した値、もしくは時々刻々と変化する取得したプロセス値を用いて計算した値を用いてもよい。図１では、事前に計算した値を用いている。
【００３３】
ポリトロープヘッド算出手段１３において算出したポリトロープヘッドｈｐｏｌは、分子量推定手段１４へ出力される(図２のＳ１０２)。
分子量推定手段１４には、予め、ポリトロープヘッド算出手段１３によって算出されたポリトロープヘッドｈｐｏｌを、ＺＲＴｓで除算した下記の値（式）を(これを)ｈとした式(５)が記憶されている。
【００３４】
【数５】
2014043795.tif 000007
式(５)のｈは、分子量ＭＷを含まない形であり、取扱うガスの種類(ガスの分子量ＭＷ)に依存しない(と独立した)形で表せる。
【００３５】
続いて、図２のＳ１０３において、分子量推定手段１４がガスの分子量ＭＷ´を推定する。
分子量推定手段１４における分子量推定方法を、図３を用いて説明する。
図３は、ヘリウム(Ｈｅ)と窒素(Ｎ２)の２種類のガスにおけるサージラインを、横軸にオリフィス流量差圧ΔＰｓをとり、縦軸に式(５)のｈをとって示したものである。
【００３６】
図３中のプロットは、圧縮機１の各回転速度(回転数)に対するサージ発生限界点である。なお、１００％回転数(回転速度)とは、圧縮機１の定格運転、すなわち定常運転を示している。図３で示すラインのさらに小流量側(図３のラインの左側)へ圧縮機１の運転点が移動すると、圧縮機１でサージが発生する。なお、図３に、サージが発生しない運転点(図３のラインの右側にある運転点)を例示している。
【００３７】
分子量推定手段１４で用いるｈで示す図３のグラフは、各ガスのプロット点がそれぞれグループを形成し(近い値となり)、分子量ＭＷとの相関を示している。つまり、同じガスは、同じ分子量ＭＷだからグループを形成すると考えられる。
【００３８】
図３に示す相関関係より圧縮機１で圧縮されるガスの分子量ＭＷ´を推定する。具体的には、分子量推定手段１４に、図３に示すデータ値が、予めテーブル、マップなどで記憶部に記憶されている。そして、分子量推定手段１４は、当該テーブル、マップなどを用いて、取得したオリフィス流量差圧ΔＰｓと運転中に演算したｈとの値と、当該テーブル、マップに記録される値とを比較対照することで、運転中のガスの分子量ＭＷ´を演算し、推定する(図２のＳ１０３)。
【００３９】
分子量推定手段１４において推定された分子量ＭＷ´は、性能特性算出手段１５(Ｓ１０７への矢印)およびサージ判定手段１８(Ｓ１０４への矢印)に出力(伝送)される。
サージ判定手段１８には、ポリトロープヘッド算出手段１３(Ｓ１０２)で算出されたポリトロープヘッドｈｐｏｌおよびオリフィス流量差圧ΔＰｓが入力(伝送)される。ここで、オリフィス流量差圧ΔＰｓは、運転状態算出手段１６に出力(伝送)される。
【００４０】
Ｓ１０４において、サージ判定手段１８では、ポリトロープヘッドｈｐｏｌをＺＲＴｓで除算して求められる図３に示す分子量ＭＷを含まないｈ(式(５)参照)とオリフィス流量差圧ΔＰｓとを用いて(図３参照)、現在の運転点でサージが発生するか否か判定する。
【００４１】
判定結果、運転点が図３に示すライン(閾値)を含み左の領域にある場合には、サージが発生すると判定し(Ｓ１０５でＮｏ)、サージを防止するために制御弁４を開く(Ｓ１０６)。その後、所定時間経過したら制御弁４を閉弁し(Ｓ１０６ａ)、Ｓ１０１に移行する。
判定結果、運転点が図３に示すライン(閾値)よりも右の領域にある場合には、サージが発生しないと判定し(Ｓ１０５でＹｅｓ)、Ｓ１０１に移行する。
【００４２】
一方、Ｓ１０７においては、性能特性算出手段１５は、圧縮機１の性能特性を以下のようにして算出する。
性能特性算出手段１５は、圧縮機１の性能予測アルゴリズムを備えている。この性能予測アルゴリズムには様々なものがある。
【００４３】
性能予測アルゴリズムの一例のフローは、次の通りである。
第１に、圧縮機１の設計仕様としてガスの流量、羽根車の回転速度(圧縮機１の回転速度)、吸込条件(吸い込みガス圧、ガス温度など)、ガスの分子量ＭＷ´を与える。第２に、圧縮機１の羽根車外径を指定する。第３に、入口諸元としてインペラ出口に対するインペラ入り口の相対速度最小条件を決定する。第４に、羽根車の出口子午面速度、出入口減速比を求める。第５に、すべり係数、羽根車効率を指定し羽根車出口幅を決定する。第６に、ディフューザ、リターンチャンネル、スクロールなどの静止流路諸元を決定する。第７に、羽根車効率、減速比、断熱ヘッド、断熱効率などの性能予測計算を実施し、性能特性曲線を出力する。
【００４４】
性能特性算出手段１５において計算した圧縮機１の性能特性曲線を、図４に示す。図４の圧縮機の性能特性は、圧縮機１の回転数(回転速度)に対するポリトロープヘッドｈｐｏｌと吸込流量(ｍ３／ｈ)を示したものである。
性能特性算出手段１５において算出された性能特性の情報(圧縮機１の性能特性曲線の情報)は、運転状態算出手段１６に出力される。
【００４５】
Ｓ１０８において、運転状態算出手段１６は、入力された性能特性曲線上に、サージ判定手段１８から出力されたサージが発生する運転点を、図３の関係、式(３)、式(４)などを用いて、吸い込み流量(ｍ３／ｈ)とポリトロープヘッドｈｐｏｌとの関係に演算し、図４に示す性能特性曲線上にプロットする(サージ発生ライン)。
また、サージ判定手段１８から出力された現在の圧縮機１の運転点を、吸い込み流量(ｍ３／ｈ)とポリトロープヘッドｈｐｏｌとの関係に演算して、図４に示すサージ発生ラインを示す性能特性曲線上にプロットする。
【００４６】
なお、図４における各回転数(回転速度)のラインの小流量側の端をつないだ線がサージ発生ラインであり、このラインのさらに小流量側へ圧縮機１の運転点が移動するとサージが発生する。
この性能特性と運転点は、表示器１７に伝送(出力)され表示される(Ｓ１０９)。圧縮機１の運転員は、表示器１７に表示される画面を監視することによって、圧縮機１の運転状態とサージの危険性を視覚的に把握することが可能となる。
【００４７】
上記構成によれば、圧縮機１を運転している現場においては、刻々と変化するプロセス値を用いて、図４に示す通常用いられる圧縮機１の性能特性曲線上に運転点をプロットしてモニタするので、圧縮機１の運転状態とサージの発生の状態とが比較でき、運転員にとって理解し易い。
また、圧縮機１の運転点とサージ発生の関係がリアルタイムで分かるので、安全性が高い。さらに、運転員がリアルタイムで圧縮機１の運転を変えるのに便利である。
【００４８】
そして、運転員が圧縮機１の運転点を変え易い。また、圧縮機１の無駄がない運転点の閾値の設定が可能である。
従って、取扱うガスの分子量が変化する運転条件であっても、サージを防止することができ、圧縮機１の運転状態を把握しやすいサージ発生防止装置１０およびサージ発生防止装置１０を搭載する圧縮機１を実現できる。
【００４９】
＜＜実施形態２＞＞
実施形態１では、取り扱うガスが分らない場合を説明したが、実施形態２では、圧縮機１の遠心圧縮機の試験において窒素(Ｎ２)およびヘリウム(Ｈｅ)の分子量ＭＷの異なる２種類のガスを使用する場合を説明する。
実施形態２の構成は、図２に示す実施形態１と同様な構成である。
【００５０】
本実施形態２のように使用するガスが明らかな場合は、予め性能特性算出手段１５により各々のガスの性能特性曲線を得ておくことができる。
前記したように、図３に分子量ＭＷを含まないｈおよびオリフィス流量差圧ΔＰｓを使用する場合のサージラインを示す。１本のサージライン上にヘリウムおよび窒素が並ぶ。このため、サージ判定手段１８においては異なるガスに対しても1本のサージラインで、サージ判定を行うことができる。
【００５１】
しかし、圧力計７、１２、温度計８、１１から計算されるｈが圧縮機１の性能特性曲線を示さず、流量が異なる次元のため、図３のグラフでは、現場の運転員は、圧縮機１の運転状態が把握しづらい。
そこで、表示器１７には予め性能特性算出手段１５において作成したヘリウムと窒素の性能特性曲線を表示するとともに、運転状態算出手段１６において、ポリトロープヘッドｈｐｏｌおよび吸い込み流量(ｍ３／ｈ)を使用した特性曲線に運転点をプロットして表示する。なお、この際、ポリトロープヘッドｈｐｏｌおよび吸い込み流量(ｍ３／ｈ)を使用した特性曲線に、ヘリウムや窒素の性能特性曲線のサージラインを換算して、サージラインとして表示する。
【００５２】
これにより、運転員は遠心圧縮機の運転状態および運転点とサージ発生との関係を、通常使用する圧縮機１の性能特性曲線(図４参照)で物理量をもって把握することができるため、作業性と安全性が向上する。
なお、実施形態１での作用効果は同様に奏する。
【００５３】
＜＜その他の実施形態＞＞
なお、実施形態１、２で説明した圧縮機システムは、サージ発生防止装置１０を搭載した圧縮機１としたパッケージとして構成することも可能である。
また、サージ発生防止装置１０のソフトウェアの少なくとも一部を、ＩＣ(Integrated Circuit)、ＬＳＩ(Large Scale Integration)などのハードウェアで構成してもよく、所定の機能が果たせれば、実現態様は限定されないのは勿論である。
【００５４】
以上、本発明の様々な実施形態を述べたが、本発明の範囲内で様々な修正と変更が可能である。すなわち、本発明は発明の趣旨を変更しない範囲において適宜、任意に変更可能である。
【符号の説明】
【００５５】
１      圧縮機
４      制御弁
１０    サージ発生防止装置
１３    ポリトロープヘッド算出手段
１４    分子量推定手段
１５    性能特性算出手段
１６    運転状態算出手段
１７    表示器
１８    サージ判定手段
ｈ      ガスの分子量を含まない計算値
ｈｐｏｌ  ポリトロープヘッド(ポリトロープヘッド値)
ＭＷ    ガスの分子量
ＭＷ´  推定した分子量
Ｐｄ    吐出圧
Ｐｓ    吸込圧
Ｔｄ    吐出温度
Ｔｓ    吸込温度
【図１】
2014043795.tif 000008
【図２】
2014043795.tif 000009
【図３】
2014043795.tif 000010
【図４】
2014043795.tif 000011
【図５】
2014043795.tif 000012